(57)【要約】【課題】 目標色座標と色温度を具現する。【解決手段】   実施形態による照明装置は、青色光を放出する青色発光素子と赤色光を放出する赤色発光素子とを含む光源部と、光源部の上に配置され、青色発光素子及び赤色発光素子から離隔して配置され、少なくとも一つ以上の蛍光体を含む光励起部と、光源部と電気的に連結され、青色発光素子及び赤色発光素子のオン／オフを制御する電源提供部と、を含み、電源提供部によって青色発光素子がオンになり、赤色発光素子がオフになると、光励起部から放出される光は、ＣＩＥ １９３１色度ダイアグラム上の特定領域内に配置され、特定領域は３つの色座標をつなぐ領域であり、３つの色座標は(0.32,0.4)、(0.36,0.5)及び(0.368,0.49)であり、電源提供部によって青色発光素子及び前記赤色発光素子がオンになると、光励起部から放出される光は、ＣＩＥ １９３１色度ダイアグラム上の予め設定された目標色座標の範囲内に配置される。【選択図】  図１
2015050185.tif 000002
【特許請求の範囲】
【請求項１】
青色光を放出する青色発光素子と赤色光を放出する赤色発光素子とを含む光源部と、
前記光源部の上に配置され、前記青色発光素子及び前記赤色発光素子から離隔して配置され、少なくとも一つ以上の蛍光体を含む光励起部と、
前記光源部と電気的に連結され、前記青色発光素子及び前記赤色発光素子のオン／オフを制御する電源提供部と、
を含み、
前記電源提供部によって前記青色発光素子がオンになり、前記赤色発光素子がオフになると、前記光励起部から放出される光は、ＣＩＥ １９３１色度ダイアグラム上の特定領域内に配置され、
前記特定領域は３つの色座標をつなぐ領域であり、前記３つの色座標は（０．３２、０．４）、（０．３６、０．５）、及び（０．３６８、０．４９）であり、
前記電源提供部によって前記青色発光素子及び前記赤色発光素子がオンになると、前記光励起部から放出される光は、ＣＩＥ １９３１色度ダイアグラム上の予め設定された目標色座標の範囲内に配置される、照明装置。
【請求項２】
前記電源提供部から前記青色発光素子に印加される駆動電流は２００ｍＡ以上３００ｍＡ以下であり、
前記電源提供部から前記赤色発光素子に印加される駆動電流は２４０ｍＡ以上３５０ｍＡ以下である、請求項１に記載の照明装置。
【請求項３】
前記青色発光素子は、４３０ｎｍから４８０ｎｍの範囲で中心波長を有し、
前記赤色発光素子は、６００ｎｍから６５０ｎｍの範囲で中心波長を有する、請求項１又は２に記載の照明装置。
【請求項４】
前記光励起部の蛍光体は、５５７．５ｎｍから５６２ｎｍの範囲において中心波長を有する第１蛍光体を含む、請求項１ないし３のいずれか一項に記載の照明装置。
【請求項５】
前記第１蛍光体の重量比は１２．５以上１５．５以下であり、
前記電源提供部から前記青色発光素子に印加される駆動電流は２５０ｍＡ以上２７０ｍＡ以下であり、前記赤色発光素子に印加される駆動電流は２４０ｍＡ以上２６０ｍＡ以下であり、
前記目標色座標の範囲はＡｎｓｉ ３０００Ｋである、請求項４に記載の照明装置。
【請求項６】
前記光励起部の蛍光体は、５３７．５ｎｍから５４２．５ｎｍの範囲において中心波長を有する第２蛍光体と、５４７．５ｎｍから５５２．５ｎｍの範囲において中心波長を有する第３蛍光体とを含む、請求項１ないし３のいずれか一項に記載の照明装置。
【請求項７】
前記第２蛍光体の重量比は４．５以上７．５以下であり、
前記第３蛍光体の重量比は５．５以上８．５以下であり、
前記電源提供部から前記青色発光素子に印加される駆動電流は２１０ｍＡ以上２３０ｍＡ以下であり、前記赤色発光素子に印加される駆動電流は３２０ｍＡ以上３４０ｍＡ以下であり、
前記目標色座標の範囲はＡｎｓｉ ３０００Ｋである、請求項６に記載の照明装置。
【請求項８】
前記第２蛍光体の重量比は５．５以上８．５以下であり、
前記第３蛍光体の重量比は４．５以上７．５以下であり、
前記電源提供部から前記青色発光素子に印加される駆動電流は２２０ｍＡ以上２４０ｍＡ以下であり、前記赤色発光素子に印加される駆動電流は３２５ｍＡ以上３４５ｍＡ以下であり、
前記目標色座標の範囲はＡｎｓｉ ３０００Ｋである、請求項６に記載の照明装置。
【請求項９】
前記目標色座標の範囲は、前記ＣＩＥ １９３１色度ダイアグラム上の黒体輻射曲線上に位置するか、又は、前記黒体輻射曲線と隣接する、請求項１ないし８のいずれか一項に記載の照明装置。
【請求項１０】
前記光源部が配置された放熱体をさらに含み、
前記電源提供部は、前記放熱体の下、又は、前記放熱体の内部に配置され、
前記放熱体は、前記電源提供部と前記光源部とを電気的に連結する導電性部材が配置されるホールを有する、請求項１ないし９のいずれか一項に記載の照明装置。
【発明の詳細な説明】
【技術分野】
【０００１】
本発明の実施形態は、照明装置に関する。
【背景技術】
【０００２】
発光ダイオード（ＬＥＤ）は、電気エネルギーを光に変換する半導体素子の一種である。発光ダイオードは、蛍光灯、白熱灯などの従来の光源に比べて、低消費電力、半永久的な寿命、素早い応答速度、安全性、環境にやさしいという長所を有する。そこで、従来の光源を発光ダイオードに代替するための多くの研究が進められており、発光ダイオードは、室内外で用いられる各種ランプ、液晶表示装置、電光板、街灯などの照明装置の光源としての使用が増加する傾向にある。
【発明の概要】
【発明が解決しようとする課題】
【０００３】
様々な実施形態の目的は、ターゲット（Ｔａｒｇｅｔ）にする目標色座標と色温度を具現することができる照明装置を提供することにある。
【０００４】
また、様々な実施形態の目的は、高いＣＲＩを有する照明装置を提供することにある。
【課題を解決するための手段】
【０００５】
上記目的を達成するために、本発明の実施形態による照明装置は、青色光を放出する青色発光素子と赤色光を放出する赤色発光素子とを含む光源部と、前記光源部の上に配置され、前記青色発光素子と前記赤色発光素子から離隔して配置され、少なくとも一つ以上の蛍光体を含む光励起部と、前記光源部と電気的に連結され、前記青色発光素子と、前記赤色発光素子のオン／オフを制御する電源提供部と、を含み、前記電源提供部によって前記青色発光素子がオンになり、前記赤色発光素子がオフになると、前記光励起部から放出される光は、ＣＩＥ １９３１色度ダイアグラム上の特定領域内に配置され、前記特定領域は３つの色座標をつなぐ領域であり、前記３つの色座標は（０．３２，０．４）、（０．３６，０．５）、及び（０．３６８，０．４９）であり、前記電源提供部によって前記青色発光素子と前記赤色発光素子がオンになると、前記光励起部から放出される光は、ＣＩＥ １９３１色度ダイアグラム上の予め設定された目標色座標の範囲内に配置される。このような実施形態による照明装置は、ターゲット（Ｔａｒｇｅｔ）にする目標色座標と色温度を具現することができ、高いＣＲＩを有する利点がある。
【発明の効果】
【０００６】
本発明の様々な実施形態による照明装置を使用すれば、ターゲット（Ｔａｒｇｅｔ）にする目標色座標と色温度を具現することができる利点がある。
【０００７】
また、本発明の様々な実施形態による照明装置を使用すれば、高いＣＲＩを有する利点がある。
【図面の簡単な説明】
【０００８】
【図１】実施形態による照明装置を説明するための図面である。
【図２】他の実施形態による照明装置を説明するための図面である。
【図３】図１及び図２に示された二つの実施形態による照明装置の光励起部から放出される光をＣＩＥ １９３１色度ダイアグラムに表示したものである。
【発明を実施するための形態】
【０００９】
図面において各層の厚さや大きさは、説明の便宜及び明確性のために、誇張されたり、省略されたり、又は、概略的に示されている。また、各構成要素の大きさは、実際の大きさを全面的に反映するものではない。
【００１０】
本発明による実施形態の説明において、いずれか一つのエレメント（ｅｌｅｍｅｎｔ）が他のエレメントの「上又は下（ｏｎ ｏｒ ｕｎｄｅｒ）」に形成されるものと記載される場合において、上又は下（ｏｎ ｏｒ ｕｎｄｅｒ）は、二つのエレメントが互いに直接（ｄｉｒｅｃｔｌｙ）接触したり、又は一つ以上の別のエレメントが前記二つのエレメントの間に配置されて（ｉｎｄｉｒｅｃｔｌｙ）形成されることを全て含む。また、「上又は下（ｏｎ ｏｒ ｕｎｄｅｒ）」と表現される場合、一つのエレメントを基準として上側方向だけではなく下側方向の意味も含まれる。
【００１１】
以下、添付された図面を参照して本発明の実施形態による照明装置を説明する。
【００１２】
図１は、実施形態による照明装置を説明するための図面である。
【００１３】
図１を参照すると、実施形態による照明装置は、放熱体１１０、光源部１３０、反射体１５０、光励起部１７０、及び電源提供部１９０を含む。
【００１４】
放熱体１１０は、光源部１３０からの熱の伝達を受けて外部に放出することができる。放熱体１１０は熱放出効率に優れた金属材質又は樹脂材質で形成されてもよいが、これに限定されはしない。例えば、前記放熱体１１０の材質は、アルミニウム（Ａｌ）、ニッケル（Ｎｉ）、銅（Ｃｕ）、銀（Ａｇ）、錫（Ｓｎ）のうち少なくとも一つを含む。
【００１５】
放熱体１１０は、光源部１３０が配置される一つの面を有する。前記面には光源部１３０の基板１３１が配置されてもよい。ここで、前記面は平らな面であってもよく、上又は下に所定の屈曲を有する面であってもよい。
【００１６】
放熱体１１０は、放熱フィン１１５を有してもよい。放熱フィン１１５は、放熱体１１０の外面又は表面から外側方向に突出又は延長したものであってもよい。放熱フィン１１５は、放熱体１１０の放熱面積を広げる。したがって、放熱フィン１１５により、実施形態による照明装置は放熱効率が向上し得る。
【００１７】
放熱体１１０は、ホール１１９を有してもよい。ホール１１９には、電源提供部１９０と光源部１３０とを電気的に連結する導電性部材１９５が配置される。
【００１８】
光源部１３０は、放熱体１１０の上に配置され、所定の光を放熱体１１０の上に放出する。
【００１９】
光源部１３０は、基板１３１と発光素子１３３を含む。
【００２０】
基板１３１は、一般的なＰＣＢ、金属コアＰＣＢ（ＭＣＰＣＢ）、標準型ＦＲ−４ ＰＣＢ、又はフレキシブルＰＣＢのいずれか一つである。基板１３１は、放熱体１１０と直接接触してもよく、基板１３１と放熱体１１０との間に熱伝導性部材が配置されてもよい。
【００２１】
基板１３１は、円形、楕円形、又は多角形のいずれか一つである。
【００２２】
基板１３１は放熱体１１０の一面上に配置されてもよい。基板１３１の下面が放熱体１１０の一面と接触してもよい。
【００２３】
基板１３１の上には一つ以上の発光素子１３３が配置される。基板１３１の上面に複数の発光素子１３３が所定の形態で配置されてもよい。複数の発光素子１３３は、複数の列と複数の行で配列されてもよく、放射状に配列されてもよい。
【００２４】
基板１３１の上面には、発光素子１３３からの光を容易に反射するため、光反射物質がコーティング又は蒸着されてもよい。
【００２５】
基板１３１は、構造的な目的上及び／又は放熱体１１０への熱伝達を向上させるため、選択的に放熱テープ又は放熱パッドなどを有してもよい。
【００２６】
発光素子１３３は、基板１３１の上に複数に配列されてもよい。複数の発光素子１３３は、同じ波長の光を放出することができ、互いに異なる波長の光を放出することができる。また、複数の発光素子１３３は、同じ色相の光を放出することができ、互いに異なる色相の光を放出することができる。
【００２７】
複数の発光素子１３３は、可視光スペクトル上の青色光を放出する青色発光素子と、可視光スペクトル上の赤色光を放出する赤色発光素子を含む。
【００２８】
複数の発光素子１３３は、少なくとも一つ以上の青色発光素子と少なくとも一つの赤色発光素子とを含んでもよい。
【００２９】
複数の発光素子１３３は、４３０ｎｍから４８０ｎｍの範囲で中心波長を有する第１発光素子と、６００ｎｍから６５０ｎｍの範囲で中心波長を有する第２発光素子とを含む。ここで、複数の発光素子１３３は、少なくとも一つ以上の第１発光素子と少なくとも一つ以上の第２発光素子とを含んでもよい。
【００３０】
複数の発光素子１３３は、発光ダイオード（ＬＥＤ）チップ（Ｃｈｉｐ）であってもよい。具体的に、発光素子１３３は可視光スペクトルの青色光を放出する青色ＬＥＤチップ、赤色光を放出する赤色ＬＥＤチップを少なくとも一つ以上含んでもよい。また、発光素子１３３は、４３０ｎｍから４８０ｎｍの範囲で中心波長を有する第１ＬＥＤチップと、６００ｎｍから６５０ｎｍの範囲で中心波長を有する第２ＬＥＤチップを少なくとも一つ以上含んでいてもよい。
【００３１】
反射体１５０は、光源部１３０からの光を反射する。
【００３２】
反射体１５０は光源部１３０を取り囲んで、光源部１３０から放出された光を光励起部１７０に反射することができる。
【００３３】
反射体１５０の下端は放熱体１１０と結合し、上端には光励起部１７０が配置される。
【００３４】
反射体１５０によって、光源部１３０と光励起部１７０は所定間隔離隔されてもよい。
【００３５】
反射体１５０は、光源部１３０からの光を反射する反射面を有してもよい。前記反射面は、基板１３１と実質的に垂直をなしてもよく、基板１３１の上面と鈍角をなしてもよい。すなわち、前記反射面と基板１３１の上面との間の角度は９０度以上１８０度未満である。前記反射面は、光を容易に反射することができる材料でコーティング又は蒸着されたものであってもよい。
【００３６】
光励起部１７０は、光源部１３０から放出された光を励起させる。また、光励起部１７０は、光源部１３０から放出されて反射体１５０に反射した光を励起させることができる。
【００３７】
光励起部１７０は、光源部１３０から所定間隔離隔して配置される。光励起部１７０は、光源部１３０から所定間隔離隔配置されるため、反射体１５０の上端部に配置されてもよい。
【００３８】
光励起部１７０は平らな板状であってもよい。しかし、これに限定されるのではなく、光励起部１７０は、特定部分が上または下に膨らんだ形状を有する板であってもよい。
【００３９】
光励起部１７０、反射体１５０及び放熱体１１０によって、ミキシング空間（ｍｉｘｉｎｇ ｓｐａｃｅ）１６０が形成されてもよい。ミキシング空間１６０は、光源部１３０から放出される空間、又は、光源部１３０から放出されて反射体１５０で反射された光がミキシングされる空間、を意味する。
【００４０】
光励起部１７０は、蛍光体を少なくとも一つ以上含んでもよい。具体的に、光励起部１７０は、黄色蛍光体、緑色蛍光体、及び赤色蛍光体のうち少なくとも一つ以上を含んでいてもよい。たとえば、光励起部１７０は単一の黄色蛍光体を含んでいてもよく、黄色蛍光体と緑色蛍光体を含んでいてもよい。また、黄色、緑色、及び赤色蛍光体をすべて含んでいてもよい。
【００４１】
光励起部１７０は、黄色、緑色、及び赤色のいずれか一つの蛍光体を含むが、中心波長が互いに異なる二つ以上の蛍光体を含んでいてもよい。
【００４２】
光励起部１７０は、５５７．５ｎｍから５６２ｎｍの範囲内において中心波長を有する第１蛍光体を含んでいてもよい。また、光励起部１７０は、５３７．５ｎｍから５４２．５ｎｍの範囲において中心波長を有する第２蛍光体と、５４７．５ｎｍから５５２．５ｎｍの範囲において中心波長を有する第３蛍光体とをさらに含んでいてもよい。
【００４３】
電源提供部１９０は、外部から提供された外部電源の提供を受けて、光源部１３０の複数の発光素子１３３をオン（ｏｎ）させるための駆動信号を生成し、生成された駆動信号を光源部１３０に提供する。ここで、複数の発光素子１３３をオンさせるための駆動信号は電流であってもよい。
【００４４】
電源提供部１９０から複数の発光素子１３３に提供される駆動電流は、発光素子１３３の種類によって異なり得る。具体的に、複数の発光素子１３３が一つ以上の青色発光素子（又は、第１発光素子）と一つ以上の赤色発光素子（又は、第２発光素子）とを含む場合、電源提供部１９０は、２００ｍＡ以上３００ｍＡ以下の駆動電流を青色発光素子（又は、第１発光素子）に提供し、２４０ｍＡ以上３５０ｍＡ以下の駆動電流を赤色発光素子（又は、第２発光素子）に提供することができる。青色発光素子（又は、第１発光素子）と赤色発光素子（又は、第２発光素子）に提供される駆動電流によって、実施形態による照明装置から放出される光のＣＲＩを向上させることができ、目標（Ｔａｒｇｅｔ）にする色座標（Ｃｘ，Ｃｙ）と色温度（ＣＣＴ）を具現することができる。これに対する具体的な説明は、図３を参照して後述することにする。
【００４５】
電源提供部１９０は、放熱体１１０の下に配置されてもよい。また、図面に別途示さなかったが、電源提供部１９０は放熱体１１０の内部に配置されてもよい。この場合、電源提供部１９０は、放熱体１１０の内部に形成された収納部（図示せず）に配置されてもよい。
【００４６】
電源提供部１９０は、導電性部材１９５を含んでもよい。導電性部材１９５は、電源提供部１９０と電源部１３０を電気的に連結することができる。具体的に、導電性部材１９５は、電線（ｗｉｒｅ）又は電極ピン（ｐｉｎ）である。このような導電性部材１９５は、放熱体１１０のホール１１９に配置され得る。
【００４７】
図２は、他の実施形態による照明装置を説明するための図面である。
【００４８】
図２に示された他の実施形態による照明装置は、図１に示された実施形態による照明装置と対比してみるとき、図１に示された反射体１５０がなく、図１に示された光励起部１７０と形状が相違した光励起部１７０’を含む。他の構成は同一であるため、以下では光励起部１７０’を中心に説明することにする。ここで、図２に示された光励起部１７０’は、図１に示された光励起部１７０と比べて、形状を除いては他の内容は同一である。
【００４９】
図２を参照すると、光励起部１７０’は球形状であり得る。このような光励起部１７０’は、バルブ（ｂｕｌｂ）タイプの照明装置のグローブ（ｇｌｏｂｅ）の内面又は外面に配置されてもよく、光励起部１７０’が前記グローブを代替することもできる。
【００５０】
光励起部１７０’が球形状に限定される訳ではない。例えば、光励起部１７０’は半球形状であってもよく、楕円体形状であってもよく、多角筒形状であってもよい。
【００５１】
光励起部１７０’は放熱体１１０の上に配置され、放熱体１１０と結合することができる。
【００５２】
図１及び図２に示された二つの実施形態による照明装置の光励起部１７０、１７０’から放出される光は、複数の発光素子１３３のうち赤色発光素子（又は、第２発光素子）のオン（ＯＮ）／オフ（ＯＦＦ）と印加される駆動電流によってＣＩＥ １９３１色度ダイアグラム上の色座標、色温度、及びＣＲＩが変わり得る。言い換えれば、図１及び図２に示された二つの実施形態による照明装置は、赤色発光素子（又は、第２発光素子）のオン（ＯＮ）／オフ（ＯＦＦ）と印加される駆動電流とによって、ターゲットにする色座標と色温度を具現することができ、ＣＲＩを向上させることができる。具体的に、図３を参照して、図１及び図２に示された二つの実施形態による照明装置の光励起部１７０、１７０’から放出される光の特性を説明することにする。
【００５３】
図３は、図１及び図２に示された二つの実施形態による照明装置の光励起部から放出される光をＣＩＥ １９３１色度ダイアグラムに表示したものです。
【００５４】
図３を参照すると、図１及び図２に示された二つの実施形態による照明装置の光励起部１７０、１７０’から放出される光は、ＣＩＥ １９３１色度ダイアグラム上の特定領域Ｐ１、Ｐ２、Ｐ３から目標色座標の範囲（Ａｎｓｉ ３０００Ｋ）に移動することができる。このようなＣＩＥ １９３１色度ダイアグラム上における座標移動は、赤色発光素子（又は、第２発光素子）の動作と、赤色発光素子（又は、第２発光素子）に印加される駆動電流とによって制御され得る。
【００５５】
青色発光素子（又は、第１発光素子）がオンになり、赤色発光素子（又は、第２発光素子）がオフになった状態で、すなわち、図１及び図２に示された二つの実施形態による照明装置内の複数の発光素子１３３のうち、青色発光素子（又は、第１発光素子）のみが動作する場合には、光励起部１７０、１７０’から放出される光は、ＣＩＥ １９３１色度ダイアグラム上の特定領域Ｐ１、Ｐ２、Ｐ３内に位置する。前記特定領域は、ＣＩＥ １９３１色度ダイアグラム上のＰ１、Ｐ２及びＰ３をつなぐ領域であり、Ｐ１の色座標は（０．３２，０．４）であり、Ｐ２の色座標は（０．３６，０．５）であり、Ｐ３の色座標は（０．３６８，０．４９）である。ここで、電源提供部１９０から青色発光素子（又は、第１発光素子）に印加される駆動電流は、２００ｍＡ以上３００ｍＡ以下である。
【００５６】
光励起部１７０，１７０’から放出される光が、前記特定領域Ｐ１，Ｐ２，Ｐ３に位置した状態で赤色発光素子（又は、第２発光素子）をオンさせると、すなわち、電源提供部１９０から赤色発光素子（又は、第２発光素子）に所定の駆動電流を印加すると、光励起部１７０，１７０’から放出される光は、前記特定領域Ｐ１，Ｐ２，Ｐ３内から目標色座標の範囲（Ａｎｓｉ ３０００Ｋ）内に移動することができる。ここで、電源提供部１９０から赤色発光素子（又は、第２発光素子）に印加される駆動電流は、２４０ｍＡ以上３５０ｍＡ以下である。
【００５７】
このように、図１及び図２に示された二つの実施形態による照明装置は、複数の発光素子１３３のうち、赤色発光素子（又は、第２発光素子）に所定の駆動電流を印加して、ＣＩＥ １９３１色度ダイアグラム上に特定領域Ｐ１，Ｐ２，Ｐ３内に位置した光をターゲットにする目標色座標の範囲（例えば、Ａｎｓｉ ３０００Ｋ）内に移動させることができる。したがって、目標とする色温度を具現することができ、目標色座標の範囲（Ａｎｓｉ ３０００Ｋ）が黒体輻射曲線（Ｂｌａｃｋ Ｂｏｄｙ Ｌｏｃｕｓ）上に位置したり隣接した場合には、高いＣＲＩを具現することができる。
【００５８】
下の［表１］は、上述した図１及び図２に示された二つの実施形態による照明装置の効果を証明する実験データである。
【表１】
2015050185.tif 000003
【００５９】
上の［表１］を参照すると、第１のケース（Ｃａｓｅ １）は、光励起部１７０，１７０’が単一の第１蛍光体を含む場合である。ここで、第１蛍光体の重量比（ｗｔ％）は、１２．５以上１５．５以下である。
【００６０】
第１のケース（Ｃａｓｅ １）において、電源提供部１９０から青色発光素子（又は、第１発光素子）にのみ２５０ｍＡ以上２７０ｍＡ以下の駆動電流を印加した場合、光励起部１７０，１７０’から放出される光のＣＩＥ １９３１色度ダイアグラム上の色座標は、（０．３４１０，０．４３３９）であった。前記色座標は、図３に示された特定領域Ｐ１，Ｐ２，Ｐ３内に位置する。
【００６１】
一方、電源提供部１９０から青色発光素子（又は、第１発光素子）に２５０ｍＡ以上２７０ｍＡ以下の駆動電流を印加し、赤色発光素子（又は、第２発光素子）に２４０ｍＡ以上２６０ｍＡ以下の駆動電流を印加した場合、光励起部１７０，１７０’から放出される光のＣＩＥ １９３１色度ダイアグラム上の色座標は（０．４３９６，０．３９８０）であった。前記色座標は、図３に示された目標色座標の範囲（Ａｎｓｉ ３０００Ｋ）内に位置し、ＣＲＩ値が６６（Ｒａ）から９２（Ｒａ）に向上することが確認できる。
【００６２】
再び、［表１］を参照すると、第２のケース（Ｃａｓｅ ２）は、光励起部１７０，１７０’が第２蛍光体と第３蛍光体を含んだ場合である。ここで、第２蛍光体の重量比（ｗｔ％）は、４．５以上７．５以下であり、第３蛍光体の重量比（ｗｔ％）は５．５以上８．５以下である。
【００６３】
第２のケース（Ｃａｓｅ ２）において、電源提供部１９０から青色発光素子（又は、第１発光素子）にのみ２１０ｍＡ以上２３０ｍＡ以下の駆動電流を印加した場合、光励起部１７０，１７０’から放出される光のＣＩＥ １９３１色度ダイアグラム上の色座標は（０．３４３７，０．４４９１）であった。前記色座標は、図３に示された特定領域Ｐ１，Ｐ２，Ｐ３内に位置する。
【００６４】
一方、電源提供部１９０から青色発光素子（又は、第１発光素子）に２１０ｍＡ以上２３０ｍＡ以下の駆動電流を印加し、赤色発光素子（又は、第２発光素子）に３２０ｍＡ以上３４０ｍＡ以下の駆動電流を印加した場合、光励起部１７０，１７０’から放出される光のＣＩＥ １９３１色度ダイアグラム上の色座標は（０．４３５４，０．４０７１）であった。前記色座標は、図３に示された目標色座標の範囲（Ａｎｓｉ ３０００Ｋ）内に位置し、ＣＲＩ値が６３（Ｒａ）から９０（Ｒａ）に向上することが確認できる。
【００６５】
再び［表３］を参照すると、第３のケース（Ｃａｓｅ ３）は、光励起部１７０，１７０’が第２蛍光体と第３蛍光体を含む場合であって、第２のケース（Ｃａｓｅ ２）と同一であるが、第２蛍光体と第３蛍光体の重量比（ｗｔ％）が互いに異なる。具体的に、第２蛍光体の重量比（ｗｔ％）は５．５以上８．５以下であり、第３蛍光体の重量比（ｗｔ％）は４．５以上７．５以下である。
【００６６】
第３のケース（Ｃａｓｅ ３）において、電源提供部１９０から青色発光素子（又は、第１発光素子）にのみ２２０ｍＡ以上２４０ｍＡ以下の駆動電流を印加した場合、光励起部１７０，１７０’から放出される光のＣＩＥ １９３１色度ダイアグラム上の色座標は（０．３４３６，０．４４２７）であった。前記色座標は、図３に示された特定領域Ｐ１，Ｐ２，Ｐ３内に位置する。
【００６７】
一方、電源提供部１９０から青色発光素子（又は、第１発光素子）に２２０ｍＡ以上２４０ｍＡ以下の駆動電流を印加し、赤色発光素子（又は、第２発光素子）に３２５ｍＡ以上３４５ｍＡ以下の駆動電流を印加した場合、光励起部１７０，１７０’から放出される光のＣＩＥ １９３１色度ダイアグラム上の色座標は（０．４３６９，０．４０９６）であった。前記色座標は、図３に示された目標色座標の範囲（Ａｎｓｉ ３０００Ｋ）内に位置し、ＣＲＩ値が６４（Ｒａ）から９０（Ｒａ）に向上することが確認できる。
【００６８】
以上で、実施形態を中心に説明したが、これは単に例示に過ぎず、本発明を限定するものではなく、本発明が属する分野における通常の知識を有する者であれば、本実施形態の本質的な特性を外れない範囲で、以上に例示されない様々な変形と応用が可能であることが分かるはずである。例えば、実施形態に具体的に示された各構成要素は、変形して実施することができるはずである。そして、このような変形と応用に係る相違点は、添付の特許請求の範囲において規定する本発明の範囲に含まれるものと解釈されるべきである。
【符号の説明】
【００６９】
１１０            放熱体              １１５            放熱フィン
１１９            ホール              １３０            光源部
１３１            基板                １３３            発光素子
１５０            反射体              １６０、１６０’  ミキシング空間
１７０、１７０’  光励起部            １９０            電源提供部
１９５            導電性部材
【図１】
2015050185.tif 000004
【図２】
2015050185.tif 000005
【図３】
2015050185.tif 000006